(57)【要約】【課題】  誰もが、低廉な費用で容易に、人体頭部の各部分の頭髪どうしの間に成立する相対的位置関係を把握可能である人体頭部模型を提供すること。【解決手段】  体の頭蓋を模してなる基部１０を有する人体頭部模型１において、基部１０の表面を複数のブロック２０により区分し、各ブロック２０に殻部３０を着脱自在にそれぞれ係止し、殻部３０の表面に、頭髪５０を植毛するとともに、隣接する２つの殻部３０どうし間において、一方の殻部３０の頭髪５０と、他方の殻部３０の頭髪５０と、を、互いに異なる色に染める。【選択図】  図１
2014180350.tif 000002
【特許請求の範囲】
【請求項１】
人体の頭蓋を模してなる基部を有し、
前記基部の表面は、複数個のブロックに区分されており、
各前記ブロックには、１枚又は複数枚の殻部が着脱自在にそれぞれ係止されており、当該殻部の表面には、頭髪が植えられていることを特徴とする人体頭部模型。
【請求項２】
互いに隣接する２個の前記ブロックどうし間において、一方の前記ブロックに係止された前記殻部に植えられている頭髪と、他方の前記ブロックに係止された前記殻部に植えられている頭髪と、は、互いに異なる色に染められていることを特徴とする請求項１に記載の人体頭部模型。
【発明の詳細な説明】
【技術分野】
【０００１】
本発明は、人体頭部模型に関する。
【背景技術】
【０００２】
美容や理容のカット技術を学ぶ学生や、美容師、理容師は、その技術を習得するために練習を積まなければならない。この練習では、人体頭部模型（例えば、特許文献１を参照）が使われることが多い。人体頭部模型には、頭髪として人毛や人工毛が植え込まれている。そして、学生等は、人体頭部模型の頭髪を実際にカットすることによって練習を積み重ねる。
【０００３】
また、髪形は、人体頭部の様々な部分の頭髪が相互に重なり合う等して形成される。このため、目的とする髪形を正しく形成するためには、各部分の頭髪どうしがどのような相対的位置関係を有しているかを、正しく把握していることが重要である。学生等は、人体頭部模型の頭髪をカットすることによって、各部分の頭髪どうしの間に成立している相対的位置関係を体得する。
【先行技術文献】
【特許文献】
【０００４】
【特許文献１】特開２００３−０８８４２１号公報
【発明の概要】
【発明が解決しようとする課題】
【０００５】
しかしながら、学生等が従来ある人体頭部模型を用いて頭髪のカット技術を練習することには、以下の問題点が存在する。
まず、学生等は、カット技術の練習を行う際、人体頭部模型の頭髪の一部を指の間に挟み、すくいあげる。そして、すくい上げた頭髪をカットする。この手順を繰り返すことによって、カットが頭髪全体に施される。
【０００６】
学生等が、カットした頭髪を指の間から離してしまうと、その頭髪は、他の頭髪の間に紛れ込んでしまい、見えにくくなってしまう。また、指ですくい上げた状態の頭髪と、自然に垂れ下がった状態の頭髪と、は、その見え方が全く異なる。
【０００７】
このため、未熟な学生等にとって、カットする部分の頭髪と、他の部分の頭髪と、の間に成立している相対的位置関係を正確に把握することは、非常に困難である。そして、カット前にイメージした髪形と、実際に完成した髪形と、の間に、ずれが生じやすくなってしまう。
【０００８】
学生等は、カットする部分の頭髪と、他の部分の頭髪と、の間に成立している相対的位置関係を把握するために、人体頭部模型を相手にして数多くの練習を積み重ねなければならない。しかし、人体頭部模型の頭髪は、ひとたびカットされると元には戻らない。そこで、学生等は、数多くの人体頭部模型を購入するなどして練習を積み重ねざるを得ない。このことは、学生等に大きな経済的負担を与える。
【０００９】
本発明は、上記問題を解決するものであり、その目的とするところは、人体頭部の各部分の頭髪の間に成立する相対的位置関係を、誰もが、低廉な費用で容易に体得可能とする人体頭部模型を提供することである。
【課題を解決するための手段】
【００１０】
本発明は、その課題を解決するために以下のような構成をとる。請求項１の発明に係る人体頭部模型は、人体の頭蓋を模してなる基部を有し、前記基部の表面は、複数個のブロックに区分されており、各前記ブロックには、１枚又は複数枚の殻部が着脱自在にそれぞれ係止されており、当該殻部の表面には、頭髪が植えられていることを特徴とする。
【００１１】
学生等は、任意のブロックに殻部を係止することができる。これにより、学生等は、ブロックに係止された殻部の頭髪がどのようになっているかを容易に把握することができる。例えば、ある部分の頭髪が指ですくい上げられたときの状態と、その部分の頭髪が自然に垂れ下がったときの状態と、を、学生等は、容易に比較することができる。
【００１２】
各殻部の頭髪をそれぞれ観察可能であるので、学生等は、指ですくい上げた部分の頭髪と、他の部分の頭髪と、の間に成立する相対的位置関係を容易に把握することができる。そして、学生等は、頭髪全体の三次元的イメージを正確に脳裏に描くことができるようになる。
【００１３】
また、学生等がある特定部分の頭髪のカットを練習する場合、その部分に対応するブロックに係止した殻部のみを交換することで、カットの練習を繰り返すことができる。したがって、準備しなければならない人体頭部模型の数は、１個で足りる。
各ブロックにおいて、殻部を係止する方法は特に限定されない。
【００１４】
例えば、両面テープによって、殻部をブロックに係止することが可能である。磁石の磁力によって、殻部をブロックに係止することも可能である。また、基部と殻部とにおいて、一方に突出部を形成し、他方にこの突出部に対応する形状の窪み部や穴部を形成しても良い。窪み部あるいは穴部と、突出部と、が、互いに嵌合することによって、殻部が、ブロックに係止される。さらに、隣接する殻部どうし間において、一方の殻部の周縁部と、他方の殻部の周縁部と、に、相互に嵌合する凹凸等の形状を形成しても良い。
【００１５】
通常の人体頭部において、頭髪が生えている部分は、以下のように区分することができる。
すなわち、頭髪が生えている部分は、頭頂部近傍のトップセクション、額上方のフロントセクション、側頭部側のサイドオーバーセクションとサイドアンダーセクション、後頭部側のバックオーバーセクションとバックアンダーセクションとネープセクションに区分される。
【００１６】
なお、サイドオーバーセクションは、サイドアンダーセクションよりも頭頂部側に位置する。また、バックオーバーセクションは、バックアンダーセクションよりも頭頂部側に位置する。そして、バックアンダーセクションは、ネープセクションよりも頭頂部側に位置する。
【００１７】
各ブロックは、トップセクション、フロントセクション、サイドオーバーセクション、サイドアンダーセクション、バックオーバーセクション、バックアンダーセクション及びネープセクションに対応して区分されていることが好ましい。また、これらの各ブロックは、さらに小さなブロックに区分されていても良い。
さらに、各殻部の厚さは特に限定されない。例えば、各殻部の厚さは、１〜１０ｍｍであっても良いし、１〜８ｃｍであっても良い。
【００１８】
請求項２の発明に係る人体頭部模型は、請求項１に記載の人体頭部模型であって、互いに隣接する２個の前記ブロックどうし間において、一方の前記ブロックに係止された前記殻部に植えられている頭髪と、他方の前記ブロックに係止された前記殻部に植えられている頭髪と、は、互いに異なる色に染められていることを特徴とする。
【００１９】
互いに隣接する殻部の頭髪の色が、それぞれ異なっていることと、殻部が各ブロックに着脱自在にそれぞれ係止されていることとが、相俟って、学生等は、各殻部の頭髪どうしの間に成立している相対的位置関係を、視覚を介してより容易に理解し、体得することができる。
【００２０】
さらに、学生、美容師、理容師が、新規なデザインの髪形を考える場合、カットの効果等を容易に視認でき、髪形の工夫がより容易化される。例えば、ある特定の殻部の頭髪について、様々なカットを試みる場合、その殻部のみを交換すれば足りる。また、様々なカットを施した頭髪の殻部を、交換してブロックに係止することで、カットの効果を容易に比較できる。
【発明の効果】
【００２１】
上記のような人体頭部模型であるので、誰もが、低廉な費用で容易に、人体頭部の各部分の頭髪の間に成立する相対的位置関係を把握可能である。
【図面の簡単な説明】
【００２２】
【図１】人体頭部模型の左側面図である。
【図２】人体頭部模型の右斜め後面図である。
【図３】人体頭部模型の部分断面図である。
【発明を実施するための形態】
【００２３】
本発明の実施の形態を図１から図３を参照しつつ以下に説明する。
以下の説明において、右とは、人体頭部模型１の右耳側のことをいい、左とは、人体頭部模型１の左耳側のことをいうものとする。
図１及び図２に示すように、人体頭部模型１は、基部１０と、殻部３０と、を有する。
【００２４】
基部１０は、人体頭部の頭蓋を模してなる。基部１０の正面側の表面には、目（図示略）、鼻、額が形成されており、基部１０の左右側面の表面には、頬と耳がそれぞれ形成されており、基部１０の下部には、首が形成されている。そして、基部１０は、通常の人体頭部の頭髪が生えている箇所に相当する部分１０Ａと、それ以外の部分１０Ｂとに分かれている。部分１０Ａと、部分１０Ｂと、の境界部分には、段差が形成されている。この段差の高さは、殻部３０の厚さに相当している。
【００２５】
部分１０Ａは、複数個のブロック２０に区分されている。ブロック２０は、１個のブロック２１、１個のブロック２２、左右に１個ずつ存在するブロック２３Ｕ、左右に１個ずつ存在するブロック２３Ｌ、１個のブロック２４Ｕ、１個のブロック２４Ｌ、１個のブロック２７によって構成されている。
【００２６】
ブロック２１は、人体頭部模型１の頂部周辺に位置している。ブロック２１の位置は、実際の人体頭部におけるトップセクションの位置に対応している。
ブロック２２は、人体頭部模型１の額の上方部分に隣接しているとともに、ブロック２１の額側部分（すなわち、前方部分）に隣接している。ブロック２２の位置は、実際の人体頭部におけるフロントセクションの位置に対応している。
【００２７】
ブロック２３Ｕは、人体頭部模型１の左右両側にそれぞれ位置している。ブロック２３Ｌも人体頭部模型１の左右両側にそれぞれ位置している。ブロック２３Ｕは、ブロック２１の耳寄りの部分（すなわち、下方部分）に隣接し、ブロック２３Ｌは、ブロック２３Ｕの耳寄りの部分（すなわち、下方部分）に隣接している。また、左右のブロック２３Ｕは、ブロック２２の左右両側部分（すなわち、後方部分）にそれぞれ隣接している。
【００２８】
ブロック２３Ｕの位置は、実際の人体頭部におけるサイドオーバーセクションの位置に対応している。ブロック２３Ｌの位置は、実際の人体頭部におけるサイドアンダーセクションの位置に対応している。
ブロック２４Ｕとブロック２４Ｌとブロック２７とは、人体頭部模型１の後面側に位置している。ブロック２４Ｕは、ブロック２１の後側下方部分に隣接し、ブロック２４Ｌは、ブロック２４Ｕの首側部分（すなわち、下方部分）に隣接し、ブロック２７は、ブロック２４Ｌの首側部分（すなわち、下方部分）に隣接している。また、ブロック２４Ｕは、左右のブロック２３Ｕの後方部分に隣接しており、ブロック２４Ｌは、左右のブロック２３Ｌの後方部分に隣接している。
【００２９】
さらに、ブロック２４Ｕは、左右対称の２個のブロック２５に区分されている。ブロック２４Ｌも、左右対称の２個のブロック２６に区分されている。ブロック２７も、左右対称の２個のブロック２８に区分されている。
ブロック２４Ｕは、実際の人体頭部におけるバックオーバーセクションに対応している。ブロック２４Ｌは、実際の人体頭部におけるバックアンダーセクションに対応している。ブロック２７は、実際の人体頭部におけるネープセクションに対応している。
【００３０】
部分１０Ａの表面は、複数枚の殻部３０によって隙間なく覆われている。
殻部３０は、１枚の殻部３１、１枚の殻部３２、左右に１枚ずつ存在する殻部３３Ｕ、左右に１枚ずつ存在する殻部３３Ｌ、左右に１枚ずつ存在する殻部３５、左右に１枚ずつ存在する殻部３６、左右に１枚ずつ存在する殻部３８によって構成されている。
【００３１】
殻部３１は、ブロック２１と同じ形を有する。そして、殻部３１は、ブロック２１の上に、係止機構４０を介して着脱可能に係止されており、殻部３１が、ブロック２１を覆っている。
殻部３２は、ブロック２２と同じ形を有する。そして、殻部３２は、ブロック２２の上に、係止機構４０を介して着脱可能に係止されており、殻部３２が、ブロック２２を覆っている。
【００３２】
右側の殻部３３Ｕは、右側のブロック２３Ｕと同じ形を有し、左側の殻部３３Ｕは、左側のブロック２３Ｕと同じ形を有する。右側の殻部３３Ｕは、右側のブロック２３Ｕの上に、係止機構４０を介して着脱可能に係止されており、左側の殻部３３Ｕは、左側のブロック２３Ｕの上に、係止機構４０を介して着脱可能に係止されている。そして、右側の殻部３３Ｕが、右側のブロック２３Ｕを覆っており、左側の殻部３３Ｕが、左側のブロック２３Ｕを覆っている。
【００３３】
右側の殻部３３Ｌは、右側のブロック２３Ｌと同じ形を有し、左側の殻部３３Ｌは、左側のブロック２３Ｌと同じ形を有する。右側の殻部３３Ｌは、右側のブロック２３Ｌの上に、係止機構４０を介して着脱可能に係止されており、左側の殻部３３Ｌは、左側のブロック２３Ｌの上に、係止機構４０を介して着脱可能に係止されている。そして、右側の殻部３３Ｌが、右側のブロック２３Ｌを覆っており、左側の殻部３３Ｌが、左側のブロック２３Ｌを覆っている。
【００３４】
右側の殻部３５は、右側のブロック２５と同じ形を有し、左側の殻部３５は、左側のブロック２５と同じ形を有する。右側の殻部３５は、右側のブロック２５の上に、係止機構４０を介して着脱可能に係止されており、左側の殻部３５は、左側のブロック２５の上に、係止機構４０を介して着脱可能に係止されている。そして、右側の殻部３５が、右側のブロック２５を覆っており、左側の殻部３５が、左側のブロック２５を覆っている。
【００３５】
右側の殻部３６は、右側のブロック２６と同じ形を有し、左側の殻部３６は、左側のブロック２６と同じ形を有する。右側の殻部３６は、右側のブロック２６の上に、係止機構４０を介して着脱可能に係止されており、左側の殻部３６は、左側のブロック２６の上に、係止機構４０を介して着脱可能に係止されている。そして、右側の殻部３６が、右側のブロック２６を覆っており、左側の殻部３６が、左側のブロック２６を覆っている。
【００３６】
右側の殻部３８は、右側のブロック２８と同じ形を有し、左側の殻部３８は、左側のブロック２８と同じ形を有する。右側の殻部３８は、右側のブロック２８の上に、係止機構４０を介して着脱可能に係止されており、左側の殻部３８は、左側のブロック２８の上に、係止機構４０を介して着脱可能に係止されている。そして、右側の殻部３８が、右側のブロック２８を覆っており、左側の殻部３８が、左側のブロック２８を覆っている。
【００３７】
各係止機構４０は、それぞれ同様の構成を有している。ブロック２１と殻部３１の係止機構４０を例にとって以下説明する（図１及び図３を参照）。
ブロック２１の表面中央に穴部４１が形成されており、殻部３１の裏面中央に突出部４２が形成されている。突出部４２と穴部４１とは、互いに対応した形状を有し、突出部４２は穴部４１に嵌合可能な構成となっている。そして、突出部４２が穴部４１に嵌合することによって、殻部３１がブロック２１に着脱可能に係止されている。
【００３８】
部分１０Ａに、すべての殻部３０がすべて係止された状態において、各殻部３０の表面と部分１０Ｂの表面とは、段差なくなだらかに互いに連続している（図２を参照）。
殻部３１、３２、３３Ｕ、３３Ｌ、３５、３６、３８の各表面には、それぞれ、長い頭髪５０が密植されている。なお、図１及び図２において、殻部３１に植えられた頭髪５０のみを図示し、他の頭髪５０の図示は省略されている。
【００３９】
殻部３１に植えられた頭髪５０は、黒色に染められている。殻部３２に植えられた頭髪５０は、白色に染められている。各殻部３３Ｕに植えられた頭髪５０は、赤色に染められている。殻部３３Ｌに植えられた頭髪５０は、黄色に染められている。右側の殻部３５に植えられた頭髪５０は、水色に染められている。左側の殻部３５に植えられた頭髪５０は、緑色に染められている。右側の殻部３６に植えられた頭髪５０は、青色に染められている。左側の殻部３６に植えられた頭髪５０は、黄緑色に染められている。右側の殻部３８に植えられた頭髪５０は、紫色に染められている。左側の殻部３８に植えられた頭髪５０は、ピンク色に染められている。
【００４０】
以上が、人体頭部模型１の構成である。次に、この人体頭部模型１の作用効果について説明する。
美容師学校に通う学生が人体頭部模型１を使う場合を例にとって以下説明する。
頭髪５０は、特に手を加えられていなければ、自然に下方に垂れ下がっている。また、各殻部３０の頭髪５０は、それぞれ色分けされている。このため、学生は、垂れ下がった状態の各殻部３０の頭髪５０が、頭髪５０全体に対してどのような相対的位置関係を有しているかを、容易に視覚的に把握することができる。
【００４１】
また、学生は、指ですくい上げた任意の殻部３０の頭髪５０と、垂れ下がっている他の殻部３０の頭髪５０と、の間に成立する相対的位置関係をも、容易に視覚的に把握することができる。
さらに、学生は、すくい上げた任意の殻部３０の頭髪５０をカットした場合に、カットした頭髪５０が、他の殻部３０の頭髪５０に対してどのような相対的位置関係を有しているかを、容易に視覚的に把握することができる。
【００４２】
すなわち、学生は、すくい上げた状態のカットした頭髪５０が、他の部分の頭髪５０に対してどのような相対的位置関係を有しているかを、容易に把握することができる。また、学生は、自然に垂れ下がった状態のカットした頭髪５０が、他の部分の頭髪５０に対してどのような相対的位置関係を有しているかをも、容易に把握することができる。
【００４３】
学生は、任意の一箇所又は複数箇所のブロック２０のみに、対応する殻部３０を係止することができる。これにより、学生は、任意の殻部３０の頭髪５０のみを容易かつ詳細に観察することができる。
したがって、学生は、頭髪５０全体と、各部分の頭髪５０と、の間に成立する相対的位置関係を簡単に学習することができ、頭髪５０全体の三次元的イメージをも簡単かつ迅速に把握することができる。
【００４４】
また、学生が頭髪５０のカットを練習する場合、頭髪５０が短くなった殻部３０のみを交換すればよい。学生は、ひとつの基部１０を長期間にわたって使い続けることができる。
さらに、学生が新規なデザインの髪形を考える場合、殻部３０を交換することによって、様々なカットを容易に試みることができる。
【００４５】
なお、本実施の形態におけるブロック２１、２２、２３Ｕ、２３Ｌ、２５、２６、２８は、さらに小さなブロックに区分されていても良い。
本実施の形態における殻部３１、３２、３３Ｕ、３３Ｌ、３５、３６、３８は、さらに小さな殻部に分割されていても良い。
【００４６】
また、本実施の形態における各殻部３０の頭髪５０は、他の色に染められていても良い。
さらに、本実施の形態における各殻部３０の厚さは、一例にすぎない。各殻部３０の厚さは、もっと薄くても良いし、もっと厚くても良い。
【産業上の利用可能性】
【００４７】
上記のような人体頭部模型であるので、人体頭部の各部分の頭髪の間に成立する相対的位置関係を、誰もが、低廉な費用で容易に体得可能であり、理容業や美容業に携わる者にとって極めて有用である。
【符号の説明】
【００４８】
１    人体頭部模型
１０    基部
１０Ａ、１０Ｂ    基部の部分
２０、２１、２２、２３Ｕ、２３Ｌ、２４Ｕ、２４Ｌ、２５、２６、２７、２８    ブロック
３０、３１、３２、３３Ｕ、３３Ｌ、３５、３６、３８    殻部
４０    係止機構
４１    穴部
４２    突出部
５０    頭髪
【図１】
2014180350.tif 000003
【図２】
2014180350.tif 000004
【図３】
2014180350.tif 000005